(57)【特許請求の範囲】
【請求項１】
注入口支持部を有し、洗浄液を貯蔵するタンク本体部と、洗浄液が注入される洗浄液注入口を有し、前記タンク本体部の注入口支持部に収納、または引き出し可能に支持され、引き出されたときには前記洗浄液注入口が前記タンク本体部の外部に位置するとともに、収納されたときには前記タンク本体部の内部に位置する注入口部材とを備えたウォッシャタンクであって、前記タンク本体部の上端部には、該タンク本体部から水平方向に向け突出する注入ダクトが設けられ、この注入ダクトの先端部に前記注入口支持部が形成され、この注入口部材は、引き出された際に該注入口部材の基端側が前記タンク本体部の上方側に向け屈曲し基端側が先端側よりも上方に位置するように、該注入口部材の中央部分が基端部および先端部よりも前記タンク本体部の上下方向に対して下方に位置する如く略V字状に屈曲して形成されていることを特徴とするウォッシャタンク。
【請求項２】
注入口部材の先端には、前記注入口部材がタンク本体部に収納される際に前記タンク本体部内の洗浄液を押圧する液押板が形成されていることを特徴とする請求項1に記載のウォッシャタンク。
【請求項３】
注入口支持部を有し、洗浄液を貯蔵するタンク本体部と、洗浄液が注入される洗浄液注入口を有し、前記タンク本体部の注入口支持部に収納、または引き出し可能に支持され、引き出されたときには前記洗浄液注入口が前記タンク本体部の外部に位置するとともに、収納されたときには前記タンク本体部の内部に位置する注入口部材とを備えたウォッシャタンクであって、前記タンク本体部の上端部には、該タンク本体部から水平方向に向け突出する注入ダクトが設けられ、この注入ダクトの先端部に前記注入口支持部が形成され、この注入口部材は、引き出された際に前記注入口部材の基端側が前記タンク本体部の上方側に向け屈曲し該基端側が先端側よりも上方に位置するように、該注入口部材の中央部分が基端部および先端部よりも前記タンク本体部の上下方向に対して下方に位置する如く略V字状に屈曲して形成されているとともに、前記注入口部材の先端には、前記注入口部材が前記タンク本体部に収納される際に前記タンク本体部内の洗浄液を押圧する液押板が形成されていることを特徴とするウォッシャタンク。
【請求項４】
洗浄液注入口は、注入口部材の中央部に形成され、前記注入口部材の基端には、前記注入口部材がタンク本体部に収納される際にタンク本体部から押し戻される洗浄液が前記洗浄液注入口から飛散するのを防止する液受板が形成されていることを特徴とする請求項1、２、または３のいずれかに記載のウォッシャタンク。
【請求項５】
注入口支持部を有し、洗浄液を貯蔵するタンク本体部と、洗浄液が注入される洗浄液注入口を有し、前記タンク本体部の注入口支持部に収納、または引き出し可能に支持され、引き出されたときには前記洗浄液注入口が前記タンク本体部の外部に位置するとともに、収納されたときには前記タンク本体部の内部に位置する注入口部材とを備えたウォッシャタンクであって、前記タンク本体部の上端部には、該タンク本体部から水平方向に向け突出する注入ダクトが設けられ、この注入ダクトの先端部に前記注入口支持部が形成され、この注入口部材は、該注入口部材の中央部分が基端部および先端部よりも前記タンク本体部の上下方向に対して下方に位置する如く略V字状に屈曲して形成され、前記注入口部材の先端には、前記注入口部材が前記タンク本体部に収納される際に前記タンク本体部内の洗浄液を押圧する液押板が形成され、前記洗浄液注入口は、前記注入口部材の中央部に形成され、前記注入口部材の基端には、前記注入口部材が前記タンク本体部に収納される際に前記タンク本体部から押し戻される洗浄液が前記洗浄液注入口から飛散するのを防止する液受板が形成されていることを特徴とするウォッシャタンク。
【請求項６】
車体パネルの孔部を貫通して配置された注入口支持部を有し、前記車体パネルの内側に収容され、洗浄液を貯蔵するタンク本体部と、洗浄液が注入される洗浄液注入口を有し、前記タンク本体部の注入口支持部に収納、または引き出し可能に支持され、引き出されたときには前記洗浄液注入口が前記タンク本体部の外部に位置するとともに、収納されたときには前記タンク本体部の内部に位置する注入口部材とを備えたウォッシャタンクであって、前記タンク本体部の上端部には、該タンク本体部から水平方向に向け突出する注入ダクトが設けられ、この注入ダクトの先端部に前記注入口支持部が形成され、この注入口部材は、引き出された際に前記注入口部材の基端側が前記タンク本体部の上方側に向け屈曲し該基端側が先端側よりも上方に位置するように、該注入口部材の中央部分が基端部および先端部よりも前記タンク本体部の上下方向に対して下方に位置する如く略V字状に屈曲して形成され、前記注入口部材の先端には、前記注入口部材が前記タンク本体部に収納される際に前記タンク本体部内の洗浄液を押圧する液押板が形成され、前記洗浄液注入口は、前記注入口部材の中央部に形成され、前記注入口部材の基端には、前記注入口部材が前記タンク本体部に収納される際に前記タンク本体部から押し戻される洗浄液が前記洗浄液注入口から飛散するのを防止する液受板が形成されていることを特徴とするウォッシャタンク。
【請求項７】
液押板には、弾性を持たせるための切欠部が形成されていることを特徴とする請求項２、３、５、または６のいずれかに記載のウォッシャタンク。
【請求項８】
注入口部材は、ゴム材からなる防水シール部材を介して、注入口支持部に支持されており、前記防水シール部材は、二重構造の筒状部と、該筒状部の内側筒状部の内周面に形成された係合突条とを有し、前記二重構造の筒状部により形成される環状の凹溝を前記注入口支持部に嵌入するとともに、前記係合突条を前記注入口部材の外周面に弾性的に係合させており、前記注入口部材の注入口部材本体における基端部近傍の外周面には、凹部が全周に亘って形成されていることを特徴とする請求項１乃至７のいずれかに記載のウォッシャタンク。
【発明の詳細な説明】
【０００１】
【発明の属する技術分野】
この発明は、ウインドシールドガラス等の払拭面に噴射する洗浄液を貯蔵しておくウォッシャタンクに関する。
【０００２】
【従来の技術】
この種のウォッシャタンクとしては、タンク本体に対して収納、または引き出し可能にした注入口が設けられているものが知られている。
【０００３】
【発明が解決しようとする課題】
上記のものでは、タンク本体から注入口を引き出して洗浄液を注入するが、注入口はタンク本体とほぼ水平に位置しているため、洗浄液が注入口の口元まで注がれた場合、注入口を収納する際に洗浄液の吹き返しが起こり、洗浄液が注入口から外部へ溢れ出すという問題点があった。
【０００４】
【発明の目的】
この発明は、注入口部材を引き出して洗浄液を注入した後、注入口部材をタンク本体部に収納する際に洗浄液が洗浄液注入口から外部へ飛散しにくい構造のウォッシャタンクを提供することを目的としている。
【０００５】
【発明の構成】
【０００６】
【課題を解決するための手段】
この発明の請求項１に係るウォッシャタンクでは、注入口支持部を有し、洗浄液を貯蔵するタンク本体部と、洗浄液が注入される洗浄液注入口を有し、タンク本体部の注入口支持部に収納、または引き出し可能に支持され、引き出されたときには洗浄液注入口がタンク本体部の外部に位置するとともに、収納されたときにはタンク本体部の内部に位置する注入口部材とを備えたウォッシャタンクであって、タンク本体部の上端部には、該タンク本体部から水平方向に向け突出する注入ダクトが設けられ、この注入ダクトの先端部に注入口支持部が形成され、この注入口部材は、引き出された際に注入口部材の基端側がタンク本体部の上方側に向け屈曲し該基端側が先端側よりも上方に位置するように、該注入口部材の中央部分が基端部および先端部よりもタンク本体部の上下方向に対して下方に位置する如く略V字状に屈曲して形成されている構成としたことを特徴としている。
【０００７】
この発明の請求項２に係るウォッシャタンクでは、請求項１の構成に加え、注入口部材の先端には、注入口部材がタンク本体部に収納される際にタンク本体部内の洗浄液を押圧する液押板が形成されている構成としたことを特徴としている。
【０００８】
この発明の請求項３に係るウォッシャタンクでは、注入口支持部を有し、洗浄液を貯蔵するタンク本体部と、洗浄液が注入される洗浄液注入口を有し、タンク本体部の注入口支持部に収納、または引き出し可能に支持され、引き出されたときには洗浄液注入口がタンク本体部の外部に位置するとともに、収納されたときにはタンク本体部の内部に位置する注入口部材とを備えたウォッシャタンクであって、タンク本体部の上端部には、該タンク本体部から水平方向に向け突出する注入ダクトが設けられ、この注入ダクトの先端部に注入口支持部が形成され、この注入口部材は、引き出された際に注入口部材の基端側がタンク本体部の上方側に向け屈曲し該基端側が先端側よりも上方に位置するように、該注入口部材の中央部分が基端部および先端部よりもタンク本体部の上下方向に対して下方に位置する如く略V字状に屈曲して形成されているとともに、注入口部材の先端には、注入口部材がタンク本体部に収納される際にタンク本体部内の洗浄液を押圧する液押板が形成されている構成としたことを特徴としている。
【０００９】
この発明の請求項４に係るウォッシャタンクでは、請求項1、２、または３のいずれかの構成に加え、洗浄液注入口は、注入口部材の中央部に形成され、注入口部材の基端には、注入口部材がタンク本体部に収納される際にタンク本体部から押し戻される洗浄液が洗浄液注入口から飛散するのを防止する液受板が形成されている構成としたことを特徴としている。
【００１０】
この発明の請求項５に係るウォッシャタンクでは、注入口支持部を有し、洗浄液を貯蔵するタンク本体部と、洗浄液が注入される洗浄液注入口を有し、タンク本体部の注入口支持部に収納、または引き出し可能に支持され、引き出されたときには洗浄液注入口がタンク本体部の外部に位置するとともに、収納されたときにはタンク本体部の内部に位置する注入口部材とを備えたウォッシャタンクであって、タンク本体部の上端部には、該タンク本体部から水平方向に向け突出する注入ダクトが設けられ、この注入ダクトの先端部に注入口支持部が形成され、この注入口部材は、該注入口部材の中央部分が基端部および先端部よりもタンク本体部の上下方向に対して下方に位置する如く略V字状に屈曲して形成され、注入口部材の先端には、注入口部材がタンク本体部に収納される際にタンク本体部内の洗浄液を押圧する液押板が形成され、洗浄液注入口は、注入口部材の中央部に形成され、注入口部材の基端には、注入口部材がタンク本体部に収納される際にタンク本体部から押し戻される洗浄液が洗浄液注入口から飛散するのを防止する液受板が形成されている構成としたことを特徴としている。
【００１１】
この発明の請求項６に係るウォッシャタンクでは、車体パネルの孔部を貫通して配置された注入口支持部を有し、車体パネルの内側に収容され、洗浄液を貯蔵するタンク本体部と、洗浄液が注入される洗浄液注入口を有し、タンク本体部の注入口支持部に収納、または引き出し可能に支持され、引き出されたときには洗浄液注入口がタンク本体部の外部に位置するとともに、収納されたときにはタンク本体部の内部に位置する注入口部材とを備えたウォッシャタンクであって、タンク本体部の上端部には、該タンク本体部から水平方向に向け突出する注入ダクトが設けられ、この注入ダクトの先端部に注入口支持部が形成され、この注入口部材は、引き出された際に注入口部材の基端側がタンク本体部の上方側に向け屈曲し該基端側が先端側よりも上方に位置するように、該注入口部材の中央部分が基端部および先端部よりもタンク本体部の上下方向に対して下方に位置する如く略V字状に屈曲して形成され、注入口部材の先端には、注入口部材がタンク本体部に収納される際にタンク本体部内の洗浄液を押圧する液押板が形成され、洗浄液注入口は、注入口部材の中央部に形成され、注入口部材の基端には、注入口部材がタンク本体部に収納される際にタンク本体部から押し戻される洗浄液が洗浄液注入口から飛散するのを防止する液受板が形
成されている構成としたことを特徴としている。
【００１２】
この発明の請求項７に係るウォッシャタンクでは、請求項２、３、５、または６のいずれかの構成に加え、液押板には、弾性を持たせるための切欠部が形成されている構成としたことを特徴としている。
【００１３】
この発明の請求項８に係るウォッシャタンクでは、請求項１乃至７のいずれかの構成に加え、注入口部材は、ゴム材からなる防水シール部材を介して、注入口支持部に支持されており、防水シール部材は、二重構造の筒状部と、筒状部の内側筒状部の内周面に形成された係合突条とを有し、二重構造の筒状部により形成される環状の凹溝を注入口支持部に嵌入するとともに、係合突条を注入口部材の外周面に弾性的に係合させており、前記注入口部材の注入口部材本体における基端部近傍の外周面には、凹部が全周に亘って形成されている構成としたことを特徴としている。
【００１４】
【発明の作用】
この発明の請求項１に係るウォッシャタンクにおいて、注入口部材は、タンク本体部の注入口支持部から引き出された際に注入口部材の基端側がタンク本体部の上方側に向け屈曲し該基端側が先端側よりも上方に位置するように、該注入口部材の中央部分が基端部および先端部よりも前記タンク本体部の上下方向に対して下方に位置する如く略V字状に屈曲して形成されているので、洗浄液を例え洗浄液注入口まで一杯に注入したとしても、該注入口部材の基端側上方に空間、即ち、洗浄液を収容可能な収容部が確実に確保される。従って、その後、注入口部材をタンク本体部に収納する際に洗浄液の吹き返しが起こって洗浄液がタンク本体部から押し戻されても、その吹き返しの洗浄液は収容部にて収納吸収することができ、洗浄液注入口から外部へ飛散しにくくなる。
【００１５】
この発明の請求項２に係るウォッシャタンクにおいて、注入口部材の先端には、洗浄液を押圧する液押板が形成されているので、注入口部材をタンク本体部に収納する際に液押板が洗浄液をタンク本体部内に押し込むように押圧するとともに、液押板の内側、即ち注入口部材の内側にある洗浄液をタンク本体部内に吸い出す。従って、洗浄液の吹き返しによる該洗浄液の押し戻り量が少なくなり、洗浄液注入口から外部へ飛散しにくくなる。
【００１６】
この発明の請求項３に係るウォッシャタンクにおいて、注入口部材は、タンク本体部の注入口支持部から引き出された際に注入口部材の基端側がタンク本体部の上方側に向け屈曲し該基端側が先端側よりも上方に位置するように、該注入口部材の中央部分が基端部および先端部よりも前記タンク本体部の上下方向に対して下方に位置する如く略V字状に屈曲して形成されているとともに、注入口部材の先端には、洗浄液を押圧する液押板が形成されているので注入口部材の基端側上方に洗浄液を収容可能な収容部が確実に確保される。従って、その後、注入口部材をタンク本体部に収納する際に、液押板が洗浄液をタンク本体部内に押圧するとともに液押板の内側、即ち注入口部材の内側にある洗浄液をタンク本体部内に吸い出す。従って、洗浄液の吹き返しによる該洗浄液の押し戻り量が少なくなり、且つ、その洗浄液を収容部に収容することができ、洗浄液注入口から外部へ飛散しにくくなる。
【００１７】
この発明の請求項４に係るウォッシャタンクにおいて、注入口部材の基端には、洗浄液が飛散するのを防止する液受板が形成されているので、注入口部材をタンク本体部に収納する際に、洗浄液の吹き返しが起こって洗浄液がタンク本体部から押し戻されても、その吹き返しの洗浄液は液受板に当たることにより、洗浄液注入口から外部へ飛散しにくくなる。
【００１８】
この発明の請求項５、６、７、８に係るウォッシャタンクにおいて、注入口部材は、その中央部分が基端部および先端部よりもタンク本体部の上下方向に対して下方に位置する如く略V字状に屈曲して形成されているので、注入口部材がタンク本体部から引き出された際に、注入口部材の基端側上方に洗浄液を収容可能な収容部が確実に確保される。従って、その後、注入口部材をタンク本体部に収納する際に洗浄液の吹き返しが起こって洗浄液がタンク本体部から押し戻されても、その吹き返しの洗浄液は収容部にて収納吸収することができ、洗浄液注入口から外部へ飛散しにくくなる。また、注入口部材の先端には、洗浄液を押圧する液押板が形成されているとともに、注入口部材の基端には、洗浄液が飛散するのを防止する液受板が形成されている。従って、注入口部材をタンク本体部に収納する際に、液押板が洗浄液をタンク本体部内に押圧するとともに、注入口部材の内側にある洗浄液をタンク本体部内に吸い出すので、洗浄液の吹き返しによる該洗浄液の押し戻り量が少なくなること、及び、その吹き返しの洗浄液は液受板に当たることにより収容部に収容することができることと相俟って、洗浄液はより一層洗浄液注入口から外部へ飛散しにくくなる。
【００１９】
【発明の実施の形態】
【００２０】
【実施例】
図１ないし図１５には、この発明に係るウォッシャタンクの一実施例が示されている。
【００２１】
図示するウォッシャタンク１は、タンク本体部２、注入口部材３から構成されている。
【００２２】
タンク本体部２は洗浄液を貯蔵するためのものであり、樹脂により成形されている。タンク本体部２の下端部に形成されたポンプ取付部２ａには、図５、図７に示されるポンプ４が固定されている。ポンプ４に備えられたポンプ室は、タンク本体部２内に連通接続される一方で、ノズルに連通接続されている。ポンプ４は、外部のウォッシャ制御回路に電気的に接続されている。ウォッシャ制御回路に備えられたウォッシャスイッチがオンされることによってポンプ４に通電されると、ポンプ室に内蔵されたインペラが回転され、インペラの回転によりポンプ室に発生する負圧によってタンク本体部２内に貯蔵されている洗浄液がポンプ室に導かれ、ノズルから洗浄面に向け噴射される。タンク本体部２の上端部には、注入ダクト２ｂが形成されている。この注入ダクト２ｂは、筒状をなし断面が楕円形状にしてタンク本体部２から水平方向に向け突出している。注入ダクト２ｂの先端部には、注入口支持部２ｃが形成されている。注入口支持部２ｃは、注入ダクト２ｂの先端から一段絞った筒状の断面が楕円形状に形成されている。注入口支持部２ｃの内周縁部には、係止部２ｃ１が形成されている。係止部２ｃ１には、注入口部材３が引き出し状態まで出された際に注入口部材３の先端部寄りに形成された第１，第２のフック部３ｉ，３ｊが係止される。つまり、第１，第２のフック部３ｉ，３ｊが係止部２ｃ１に係止したところで、注入口部材３の引き出し移動量が規制されるようになっている。注入口支持部２ｃの先端部には、シール部材取付部２ｃ２が形成されている。シール部材取付部２ｃ２には防水シール部材５が嵌付けられている。防水シール部材５はゴム材により成形されており、筒状をなし断面が楕円形状に形成され、且つ筒状部を二重構造としている。この二重構造の筒状部により形成される環状の凹溝５ｂを注入口支持部の一部であるシール部材取付部２ｃ２に嵌入している。防水シール部材５の内側筒状部の内周面全周には、２つの係合突条５ａ、５ａが該内側筒状部の軸方向に所定の間隔を置いて形成されている。これら係合突条５ａ、５ａは、注入口部材３が引き出し位置まで引き出されると、該注入口部材３の外周面に弾性的に係合することによって注入口部材３を注入口支持部２ｃに支持させる機能を持つ。また、防水シール部材５の外側筒状部には、外方に延びる環状フランジ部５ｃが一体に形成されている。図６に示されるように、タンク本体部２は、車体パネルとしてのアウターパネル５０の内側に配置されたメンバーパネル５１にねじ５２によって固定されている。このとき、注入ダクト２ｂの先端部に形成された注入口支持部２ｃと防水シール部材５とは、車体パネルの一部である乗降ステップ部パネル５０ａに形成された孔部５０ｂを貫通して外部に突出して配置される。乗降ステップ部パネル５０ａは、ドアパネル５３が開くことによって外部に露出され、これに反して、ドアパネル５３が閉ることによってドアパネル５３により遮蔽される。また、乗降ステップ部パネル５０ａと注入口支持部２ｃ間は、防水シール部材５の環状フランジ部５ｃが該乗降ステップ部パネル５０ａと注入口支持部２ｃ間に弾性的に係合することによりシールされる。
【００２３】
注入口部材３は樹脂により成形されており、タンク本体部２の注入口支持部２ｃに防水シール部材５を介して収納、または引き出し可能に支持されており、注入口部材３は、筒状をなし断面が楕円形状をしている。注入口部材３が引き出された際に該注入口部材３の基端側がタンク本体部２の上方側に向け屈曲し該基端側が先端側よりも上方に位置するように、注入口部材３の中央部分が基端部および先端部よりもタンク本体部２の上下方向に対して下方に位置する如く略V字状に屈曲して形成されている。また、この注入口部材３には洗浄液が注入される洗浄液注入口３ｂが形成されている。この洗浄液注入口３ｂは、注入口部材３が引き出されたときはタンク本体部２の外部に位置するとともに、収納されたときにはタンク本体部２の内部に位置するようになっている。注入口部材３は上方に向け屈曲しているので、図１に示されるように、注入口部材３の引き出し状態においては、該注入口部材３の先端側は注入ダクト２ｂの延在方向と同方向に配置され、基端側は上方に傾斜して配置される。また、図４に示されるように、注入口部材３の収納状態においては、該注入口部材３の先端側は注入ダクト２ｂの内部で上方に傾斜して配置され、基端側は注入ダクト２ｂの延在方向と同方向に配置される。
【００２４】
注入口部材３の基端部には、キャップ３ｄが配置されている。このキャップ３ｄは、図１０に示されるように、筒状をなし断面が楕円形状の注入口部材本体３ａの断面形状よりも大きい矩形の外形にされており、注入口部材本体３ａの基端部に溶着されることによって注入口部材本体３ａに一体に結合されている。注入口部材本体３ａの基端部近傍の外周面には、凹部３ｆが全周に亘って形成されている。この凹部３ｆは、キャップ３ｄを注入口部材本体３ａの基端部に熱溶着する工程において、図示しない治具の位置決め用として使用するためのものである。また、この凹部３ｆは、注入口部材３をタンク本体部２に収納させる際に、該凹部３ｆが防水シール部材５の係合突条５ａを乗り越える際にクリック感が生じ、このクリック感により、収納の完了を操作者に認識させることに役立つ。キャップ３ｄの上端部，下端部には、この注入口部材３がタンク本体部２に収納されている状態から引き出される際に、手の指で掴むため凹状に切除されたグリップ３ｄ１，３ｄ２がそれぞれ形成されている。ここで、図６に示されるように、注入口部材３がタンク本体部２から引き出されている状態において、注入口部材３が引き出されたままで、ドアパネル５３が閉められると、ドアパネル５３がキャップ３ｄに衝突し、ドアパネル５３により注入口部材３をタンク本体部２に収納させる方向に押圧して、図９に示されるように、注入口部材３をタンク本体部２内に収納させるため、注入口部材３の収納忘れがあったとしても、それが防止される。注入口部材３には、該注入口部材３の中央部の上方に形成された洗浄液注入口３ｂから基端に至る液受板３ｍが形成されている。この液受板３ｍは、洗浄液注入口３ｂを注入口部材３の中央部に形成することにより形成可能となる。液受板３ｍは、注入口部材３がタンク本体部２に収納される際に該タンク本体部２から押し戻される洗浄液が該液受板３ｍに当たることにより外部に飛散するのを防止する機能をもつ。また、注入口部材３は、タンク本体部２から引き出された際に注入口部材３の基端側がタンク本体部２の上方側に向け屈曲し該基端側が先端側よりも上方に位置するように、注入口部材３の中央部分が基端部および先端部よりもタンク本体部２の上下方向に対して下方に位置する如く略V字状に屈曲して形成されているので、該注入口部材３の基端側上方に空間、即ち、洗浄液を収容可能な収容部３ｅが確実に確保される。
【００２５】
注入口部材３の先端は、開口されているとともに、該注入口部材３の先端には、その開口部３ｃの面積を小さくするように且つ、注入ダクト２ｂに向け突出するように下方に向け傾斜した液押板３ｇが形成されている。この液押板３ｇは、図２に示されるように、タンク本体部２内に洗浄液が満たされている状態で、注入口部材３がタンク本体部２に収納される際に、タンク本体部２内の洗浄液を押し込むように押圧するとともに、液押板３ｇの内側、即ち注入口部材３の内側にある洗浄液をタンク本体部２内に吸い出す機能をもつ。液押板３ｇの中央部には、図１１に示されるように、液押板３ｇの先端部から基端部に向けスリット状に切除された切欠部３ｈが形成されている。この切欠部３ｈは、液押板３ｇを中央部でもってそれぞれ離して２分割するようにして形成されているため、液押板３ｇは弾性を有するものとなり、従って弾性変形し易いようになっている。それは、注入口部材３が引き出し状態にある際に、乗降しようとする人が、万が一に、注入口部材３を踏みつけることによって、注入口部材３を下方向へ折り曲げる外力がかけられた際に、液押板３ｇを弾性変形させて、第１，第２のフック部３ｉ，３ｊとタンク本体部２の係止部２ｃ１との係止力を減少させ、注入口部材３が注入口支持部２ｃから外れ易くするためである。その結果、注入口部材３にかけられた外力により注入口部材３が折り曲げられて破損することがない。
【００２６】
第１，第２のフック部３ｉ，３ｊは、それぞれ図１０、図１３に特に明瞭に示されるように、矩形の突起状に形成されている。第１のフック３ｉは上方側に配置され、第２のフック３ｊは下方側に配置されて一対をなす。第１，第２のフック３ｉ，３ｊは、注入口部材３が引き出し状態まで出された際にタンク本体部２の係止部２ｃ１に係止されることによって、注入口部材３がそれ以上引き出されないようにする。
【００２７】
このような構造をもつウォッシャタンク１は、タンク本体部２がメンバーパネル５１にねじ５２により固定され、注入ダクト２ｂの先端部に形成された注入口支持部２ｃと防水シール部材５とが乗降ステップ部パネル５０ａの孔部５０ｂを貫通して外部に突出して配置され、注入口部材３がタンク本体部２に収納された状態で車体に搭載される。洗浄液を補充するに際し、ドアパネル５３が開けられると、乗降ステップ部パネル５０ａ上にキャップ３ｄが露出される。そこで、キャップ３ｄのグリップ３ｄ１，３ｄ２を指で摘みながら注入口部材３をタンク本体部２から引き出す。注入口部材３は、タンク本体部２から引き出された際に該注入口部材３の基端側がタンク本体部２の上方側に向け屈曲し該基端側が先端側よりも上方に位置するように、注入口部材３の中央部分が基端部および先端部よりもタンク本体部２の上下方向に対して下方に位置する如く略V字状に屈曲して形成されているので、図１に示される引き出し状態まで引き出されると、注入口部材３の基端側が上方に向け傾斜して突出される。そして、洗浄液注入口３ｂから洗浄液が注入されることにより、注入口部材３を通じてタンク本体部２内に洗浄液が貯蔵されていく。図１に示されるように、タンク本体部２内に洗浄液が満たされたところで注入を止める。このとき、注入口部材３の基端側上方には空間３ｅ、即ち、洗浄液を収容可能な収容部３ｅが確実に確保される。その後、キャップ３ｄを乗降ステップ部パネル５０ａ側に押すことにより、注入口部材３がタンク本体部２内に収納されていく。すると、図２、図３に示されるように、注入口部材３の先端に形成された液押板３ｇによって、タンク本体部２内に貯蔵されている洗浄液をタンク本体部２内に押し込むように押圧するとともに、液押板３ｇの内側、即ち注入口部材３の内側にある洗浄液をタンク本体部２内に吸い出す。従って、洗浄液の吹き返しによる該洗浄液の押し戻り量が少なくなる。同時に、たとえ洗浄液の吹き返しが起こって洗浄液がタンク本体部２から押し戻されても、その吹き返しの洗浄液は液受板３ｍに当たって収容部３ｅに収納吸収される。つまり、液押板３ｇによって、洗浄液をタンク本体部２内に押圧し、且つ、注入口部材３の内側にある洗浄液をタンク本体部２内に吸い出すとともに、注入口部材３の中央部分が基端部および先端部よりもタンク本体部２の上下方向に対して下方に位置する如く該注入口部材３を略V字状に屈曲して形成することにより収容部３ｅを形成したこと、および該注入口部材３に洗浄液注入口３ｂから基端に至る液受板３ｍを形成したことと相俟って、タンク本体部２から押し戻される洗浄液の量が少なくなり、且つ、その洗浄液を収容部３ｅに収容することができ、洗浄液注入口３ｂから外部へ飛散しにくくしている。また、タンク本体部２の上端部には、該タンク本体部２から水平方向に向け突出する注入ダクト２ｂが設けられ、この注入ダクト２ｂの先端部に注入口支持部３を形成したので、車体パネルの一部である乗降ステップ部パネル５０ａの上下方向の寸法を大きく取れない場合であっても、略V字状に屈曲した前記注入口支持部３を有するウオッシャタンク１を装着することが出来る。そして、図４および図７に示されるように、キャップ３ｄがアウターパネル５０の乗降ステップ部パネル５０ａに略同一の面上に配置されて注入口部材３がタンク本体部２に収納される。ウォッシャ制御回路に備えられたウォッシャスイッチがオンされると、ポンプ４に通電され、タンク本体部２内に貯蔵されている洗浄液がノズルから洗浄面に向け噴射される。そして、注入口部材３が引き出し状態にある際に、乗降しようとする人が、万が一に、注入口部材３を踏みつけた際、切欠部３ｈによって液押板３ｇの弾性変形が許容されて、注入口部材３がタンク本体部２から外れるものとなる。
【００２８】
【発明の効果】
以上説明してきたように、この発明に係わるウォッシャタンクによれば、タンク本体部の上端部には、該タンク本体部から水平方向に向け突出する注入ダクトが設けられ、この注入ダクトの先端部に注入口支持部が形成され、この注入口部材の中央部分が基端部および先端部よりもタンク本体部の上下方向に対して下方に位置する如く該注入口部材を略V字状に屈曲して形成してるので、注入口部材をタンク本体部から引き出して洗浄液を注入した後、注入口部材をタンク本体部に収納する際に、該注入口部材の基端側上方に空間、即ち、洗浄液を収容可能な収容部が確実に確保され、洗浄液の吹き返しが起こって洗浄液がタンク本体部から押し戻されても、その吹き返しの洗浄液は収容部にて収納吸収することができ、洗浄液注入口から外部へ飛散しにくくなるという優れた効果を奏する。また、車体パネルの上下方向の寸法を大きく取れない場合であっても、略V字状に屈曲した注入口支持部を有するウオッシャタンクを装着することが出来る効果も有する。
【図面の簡単な説明】
【図１】この発明に係わるウォッシャタンクにおいての引き出し状態での注入口部材周りの縦断面図である。
【図２】図１に示した注入口部材の引き出し状態から収納状態へ移行する途中の縦断面図である。
【図３】図１に示した注入口部材の引き出し状態から収納状態へ移行する途中の縦断面図である。
【図４】図１に示した注入口部材の収納状態での縦断面図である。
【図５】図１に示したウォッシャタンクにおいての注入口部材の引き出し状態での一部破断正面図である。
【図６】図５に示したウォッシャタンクの平面図である。
【図７】図１に示したウォッシャタンクにおいての注入口部材の収納状態での一部破断正面図である。
【図８】図７に示したウォッシャタンクの平面図である。
【図９】注入口部材の収納忘れの際にドアパネルが閉められた状態を示したウォッシャタンクの平面図である。
【図１０】図１に示した注入口部材の外観斜視図である。
【図１１】図１０に示した注入口部材の平面図である。
【図１２】図１１に示した注入口部材の側面図である。
【図１３】図１１に示した注入口部材の背面図である。
【図１４】図１１に示した注入口部材の底面図である。
【図１５】図１１に示した注入口部材の縦断面図である。
【符号の説明】
１  ウォッシャタンク
２  タンク本体部
２ｂ  注入ダクト
２ｃ  注入口支持部
３  注入口部材
３ｂ  洗浄液注入口
３ｆ  凹部
３ｇ  液押板
３ｈ  切欠部
３ｍ  液受板
５  防水シール部材
５ａ  係合突条
５ｂ  環状の凹溝
５０ａ  車体パネル（乗降ステップ部パネル）
５０ｂ  孔部
【図１】
0003897990.tif 000002
【図２】
0003897990.tif 000003
【図３】
0003897990.tif 000004
【図４】
0003897990.tif 000005
【図５】
0003897990.tif 000006
【図６】
0003897990.tif 000007
【図７】
0003897990.tif 000008
【図８】
0003897990.tif 000009
【図９】
0003897990.tif 000010
【図１０】
0003897990.tif 000011
【図１１】
0003897990.tif 000012
【図１２】
0003897990.tif 000013
【図１３】
0003897990.tif 000014
【図１４】
0003897990.tif 000015
【図１５】
0003897990.tif 000016